(57)【要約】【課題】バルコニー床から２階床への水の進入を防止できるバルコニー構造を提供する。【解決手段】建物の入隅部１に設けられた玄関ポーチ２の外側角部に第１支柱３が立設され、この第１支柱３の上端部と前記建物の入隅部１にある互いに直交する外壁３０，３０との間にそれぞれ第１まぐさ４，４が架設され、バルコニー床を構成する床パネル７が2階の床１１より低くした状態で前記第１まぐさ４，４および外壁３０，３０によって支持されているので、バルコニー床から２階の床１１へ雨水等の水の進入を防止できる。【選択図】図１
2008196264.tif 000002
【特許請求の範囲】
【請求項１】
建物の入隅部に設けられた玄関ポーチの外側角部に第１支柱が立設され、この第１支柱の上端部と前記建物の入隅部にある互いに直交する外壁との間にそれぞれ第１まぐさが架設され、バルコニー床を構成する床パネルが２階の床より低くした状態で前記第１まぐさおよび外壁によって支持されていることを特徴とするバルコニー構造。
【請求項２】
請求項１に記載のバルコニー構造において、
前記第１支柱の上方には、該第１支柱と同軸に第２支柱が前記第１マグサに設置され、前記第１支柱の上端部と前記第２支柱の下端部とは、前記第１マグサを貫通する連結部材によって連結され、
前記第２支柱の上端部と前記建物の入隅部にある互いに直交する外壁との間にそれぞれ第２まぐさが架設され、
前記第２まぐさによってバルコニーの上方に位置する屋根の軒先部が支持されていることを特徴とするバルコニー構造。
【請求項３】
請求項２に記載のバルコニー構造において、
前記第１まぐさの成は、第２まぐさの成より大きくなっていることを特徴とするバルコニー構造。
【請求項４】
請求項２または３に記載のバルコニー構造において、
前記第２まぐさは、バルコニーの上方に位置する屋根の軒先部の軒天井より上方に位置していることを特徴とするバルコニー構造。
【請求項５】
前記第１支柱および第２支柱には、それぞれ柱カバーが取り付けられており、これら柱カバーは同一素材でかつ同一直径のものであることを特徴とするバルコニー構造。
【発明の詳細な説明】
【技術分野】
【０００１】
本発明は、住宅等の建物の入隅部に設けられたバルコニーの構造に関するものである。
【背景技術】
【０００２】
バルコニーを備えた住宅の一例として特許文献１に記載のものが知られている。この住宅は、玄関ポーチの上方に外壁から張り出したバルコニーを設け、該バルコニーの自重を支える支持柱を、玄関開口部より前方位置の前記玄関ポーチから立ち上げ、支持柱の上端と住宅の外壁との間にまぐさ材を掛け渡し、このまぐさ材で支持しながらバルコニーを設けたものである。
【特許文献１】特開２００２−２０６２８０号公報
【発明の開示】
【発明が解決しようとする課題】
【０００３】
ところで、上記のようなバルコニーを備えた住宅では、バルコニー床が、２階の床とほぼ等しい高さに位置しているが、バルコニー床に水勾配を付与することによって、バルコニー床から２階床への雨水等の水の進入を防止している。しかし、風等によって雨水がバルコニー床上を水勾配に逆らって上ったり、また、掃除等の際にバルコニー床に勢いよく水をかけると、この水が水勾配に逆らって上ったりして、バルコニー床からと２階床へと雨水等の水が進入するおそれがある。
【０００４】
本発明は上記事情に鑑みてなされたもので、バルコニー床から２階床への水の進入を防止できるバルコニー構造を提供することを課題としている。
【課題を解決するための手段】
【０００５】
上記課題を解決するために、請求項１に記載の発明は、例えば図１、図３、図１３等に示すように、建物の入隅部１に設けられた玄関ポーチ２の外側角部に第１支柱３が立設され、この第１支柱３の上端部と前記建物の入隅部１にある互いに直交する外壁３０，３０との間にそれぞれ第１まぐさ４，４が架設され、バルコニー床を構成する床パネル７が2階の床１１より低くした状態で前記第１まぐさ４，４および外壁３０，３０によって支持されていることを特徴とする。
【０００６】
請求項１に記載の発明によれば、バルコニー床を構成する床パネル７が2階の床１１より低くした状態で第１まぐさ４，４および外壁３０，３０によって支持されているので、バルコニー床から２階の床１１へ雨水等の水の進入を防止できる。
【０００７】
請求項２に記載の発明は、例えば図１、図３、図１３等に示すように請求項１に記載のバルコニー構造において、
前記第１支柱３の上方には、該第１支柱３と同軸に第２支柱１５が前記第１マグサ４に設置され、前記第１支柱３の上端部と前記第２支柱１５の下端部とは、前記第１マグサ４を貫通する連結部材１６によって連結され、
前記第２支柱１５の上端部と前記建物の入隅部１にある互いに直交する外壁３１，３１との間にそれぞれ第２まぐさ２０，２０が架設され、
前記第２まぐさ２０，２０によってバルコニーの上方に位置する屋根の軒先部２４が支持されていることを特徴とする。
【０００８】
請求項２に記載の発明によれば、第１支柱３の上端部と第２支柱１５の下端部とが、第１マグサ４を貫通する連結部材１６によって連結されているので、第２支柱１５は第１支柱３によって確実に支持される。そして、この第２支柱１５の上端部と建物の入隅部１にある互いに直交する外壁３１，３１との間にそれぞれ第２まぐさ２０，２０が架設され、この第２まぐさ２０，２０によってバルコニーの上方に位置する屋根の軒先部２４が支持されているので、この屋根の軒先部２４の軒の出が大きくなっても、該屋根の軒先部２４を確実に支持できる。したがって、バルコニーが大きくなっても、該バルコニーの上方を屋根の軒先部２４によって容易に覆うことができる。
【０００９】
請求項３に記載の発明は、請求項２に記載のバルコニー構造において、
前記第１まぐさ４の成は、第２まぐさ２０の成より大きくなっている
【００１０】
請求項３に記載の発明によれば、第１まぐさ４の成が第２まぐさ２０の成より大きいので、バルコニー床をより強固にかつ２階床１１より下方で容易に支持できる。
【００１１】
請求項４に記載の発明は、例えば図４に示すように、請求項２または３に記載のバルコニー構造において、
前記第２まぐさ２０は、バルコニーの上方に位置する屋根の軒先部２４の軒天井２５より上方に位置していることを特徴とする。
【００１２】
請求項４に記載の発明によれば、第２まぐさ２０がバルコニーの上方に位置する屋根の軒先部２４の軒天井２５より上方に位置しているので、該第２まぐさ２０は軒天井２５に隠されて見えることがないので、バルコニーとしての仕上がりが秀麗なものとなる。
【００１３】
請求項５に記載の発明は、例えば図１および図４に示すように、前記第１支柱３および第２支柱１５には、それぞれ柱カバー２６，２７が取り付けられており、これら柱カバー２６，２７は同一素材でかつ同一直径のものであることを特徴とする。
【００１４】
請求項５に記載の発明によれば、第１支柱３および第２支柱１５にそれぞれ取り付けられた柱カバー２６，２７は同一素材でかつ同一直径であるので、外観上、第１支柱３、第２支柱１５が上下に延びる１本柱のように見え、シンプルなものとなる。
【発明の効果】
【００１５】
本発明によれば、建物の入隅部に設けられた玄関ポーチの外側角部に第１支柱が立設され、この第１支柱の上端部と前記建物の入隅部にある互いに直交する外壁との間にそれぞれ第１まぐさが架設され、バルコニー床を構成する床パネルが２階の床より低くした状態で前記第１まぐさおよび外壁によって支持されているので、バルコニー床から２階の床へ雨水等の水の進入を防止できる。
【発明を実施するための最良の形態】
【００１６】
以下図面を参照して本発明の実施の形態について説明する。
図１３に示すように、建物には入隅部１が設けられており、この入隅部１には玄関ポーチ２が設けられている。この玄関ポーチ２の外側の角部には第１支柱３が立設されている。
また、第１支柱３は四角筒状のものであり、その上端部と、建物の入隅部１にある互いに直交する外壁３０，３０との間にはそれぞれ第１まぐさ４，４が以下のようにして架設されている。
すなわち図１および図３に示すように、第１支柱３の上端面に第１まぐさ４の一端部が設置されており、図３および図７に示すように、外壁３０に形成された凹所に第１まぐさ４の他端部が挿入され、この他端部が前記凹所に設けられた調整材６の上端面に設置されている。
そして、第１まぐさ４および外壁によってバルコニー床を構成する床パネル７が以下のようにして支持されている。
【００１７】
すなわち、図１および図７に示すように、前記第１まぐさ４の側面の下端部には受け材８が固定されており、外壁３０の上端部９の側面には、受け材１０が前記受け材８と同じ高さに固定されている。そして、第１まぐさ４と外壁３０との間には、床パネル７が架設され、この床パネル７の端部がそれぞれ受け材８，１０によって下方から支持されている。このようにして、床パネル７は２階の床１１より低くした状態で第１まぐさ４および外壁３０によって支持されている。
床パネル７は、框材を矩形枠状に組み立ててなる枠体の上面に、合板等からなる面材を取り付けて形成されたものであり、枠体の内部には必要に応じて補強桟材が縦横に組み付けられている。床パネル７の上面には、図１に示すように、床面材１２が桟材１２ａ，１２ｂによって所定の水勾配を付与されて設けられている。この床面材１２もその上面が２階床１１の上面より低くなるようにして設置されており、床面材１２の基端部の上方に、２階床１１からバルコニー床に出入りするための引違い戸１４が設けられている。
また、床パネル７の下方には軒天材１３が設けられており、この軒天材１３によって下方から床パネル７が見えないようになっている。なお、この軒天材１３は第１まぐさ４と外壁３０によって支持されている。
【００１８】
前記第１支柱３の上方には、図１、図３、図１３等に示すように、該第１支柱３と同軸に第２支柱１５が前記第１マグサ４に設置され、第１支柱３の上端部と第２支柱１５の下端部とは、第１まぐさ４を貫通する連結部材１６によって連結されている。すなわち、第１まぐさ４，４の互いに交差する端部には、上下に貫通する貫通孔１７が形成されており、この貫通孔１７に緊結ボルト（連結部材）１６がその上下端部を第１まぐさ４の上面および下面から突出するようにして挿通されている。第１支柱３の上端部内部には、図示しない高ナットが第１支柱３の上端フランジに固定された状態で設けられており、この高ナットに緊結ボルト１６の下端部が螺合されている。
一方、第２支柱１５は四角筒状のものであり、その下端部には操作穴が１８が形成されている。また、緊結ボルト１６の上端部は、第２支柱１５の下端部内部に下端フランジを貫通して挿入されている。そして、前記操作孔１８からナット１９を挿入して、緊結ボルト１６の上端部に螺合して締め付けることによって、緊結ボルト１６によって、第１支柱３の上端部と第２支柱１５の下端部とが連結されている。
【００１９】
また、第２支柱１５の上端部と建物の入隅部１にある互いに直交する外壁３１，３１との間にそれぞれ第２まぐさ２０，２０が架設されている。すなわち図４および図１３に示すように、第２支柱２０の上端面に第２まぐさ２０の一端部が設置されており、外壁３１に形成された凹所に第２まぐさ２０の他端部が挿入され、この他端部が前記凹所に設けられた調整材２１の上端面に設置されている。第２まぐさ２０，２０の互いに交差する端部には上下に貫通する貫通孔２２が形成されており、この貫通孔２２には緊結ボルト２３がその上下端部を第２まぐさ２０の上面および下面から突出するようにして挿通されている。第２支柱２０の上端部内部には、図示しない高ナットが第２支柱２０の上端フランジに固定された状態で設けられており、この高ナットに緊結ボルト２３の下端部が螺合されている。また、緊結ボルト２３の上端部にはナット２３ａが螺合され、締め付けられている。このようにして、第２支柱２０の上端部に第２まぐさ２０，２０の端部が強固に連結されている。そして、第２まぐさ２０，２０によって、バルコニーの上方に位置する屋根の軒先部２４が支持されている。また、第２まぐさ２０の成は、第１まぐさ４の成より小さくなっている。さらに、第２まぐさ２０は、バルコニーの上方に位置する屋根の軒先部２４の軒天井２５より上方に位置している。つまり、第２まぐさ２０は屋根と軒天井２５との間に位置している。
【００２０】
前記第１支柱３および第２支柱１５には、それぞれ柱カバー２６，２７が取り付けられている。柱カバー２６，２７は同一素材でかつ同一直径のものであり、それぞれ２つのカバー部材によって構成されている。カバー部材は円筒をその軸に平行な面で２つに割って形成された断面半円弧状のものであり、第１支柱３および第２支柱１５の外側からこれら支柱を挟むようにして該支柱に被せることで取り付けられている。なお、第１支柱３と柱カバー２６との間、第２支柱１５と柱カバー２７との間には、それぞれ耐火被覆材が設けられている。
【００２１】
次に、上記構成のバルコニー構造を施工する方法について説明する。
まず、図５に示すように、入隅部１を形成する１階の外壁３０を構成する外壁パネルを基礎上に設置する。なお、一方の外壁３０には、玄関扉を取り付けるための開口部が形成されている。
次に、図６に示すように、基礎にベースプレートをアンカーによって固定し、このベースプレートに第１支柱３を固定する。第１支柱３の下端にはフランジが形成されており、このフランジをベースプレートにボルト接合する。
次に、図７に示すように、第１支柱３の上端部と、建物の入隅部１にある互いに直交する外壁３０，３０との間にそれぞれ第１まぐさ４，４を架設する。また、図１に示すように、第１まぐさ４，４の端部の交差部分に緊結ボルト１６用の貫通孔１７を形成する。
【００２２】
次に、図８に示すように、２階床パネル１１ａを外壁や内壁の上に設置する。
次に、図９に示すように、バルコニー床を構成する複数の床パネル７を、第１まぐさ４，４と建物の入隅部１にある互いに直交する外壁３０，３０とで囲まれた部分に落とし込み配置する。この際、図１に示すように、第１まぐさ４の側面と外壁３０とにそれぞれ受け材８，１０を取り付けておき、この受け材８，８によって床パネル７を下方から支持する。床パネル７を落とし込み配置することによって、バルコニー床は２階床より１段低くなる。
次に、図１０に示すように、２階の外壁３１を構成する外壁パネルを、入隅部１を形成するようにして配置する。なお、外壁３１，３１には、バルコニーに出入りするための戸を取り付けるための開口部が形成されている。
【００２３】
次に、図１１に示すように、第１支柱３の上方に、該第１支柱３と同軸に第２支柱１５を第１マグサ４に設置し、第１支柱３の上端部と第２支柱１５の下端部とを、第１まぐさ４を貫通する緊結ボルト１６（図１参照）によって連結する。
次に、図１２に示すように、第２支柱１５の上端部と建物の入隅部１にある互いに直交する外壁３１，３１との間にそれぞれ第２まぐさ２０，２０を架設する。そして、この第２まぐさ２０，２０の端部の交差部と第２支柱１５とを緊結ボルト２３（図４参照）によって連結する
次に、図１３に示すように、外壁パネル３１の上端面に屋切パネル３２を設置し、さらに図示しない屋根パネルを設置し、この屋根パネルの軒先部を第２まぐさ２０，２０によって支持する（図４参照）。
また、図１および図４に示すように、第１支柱３と第２支柱１５に、それぞれ柱カバー２６，２７を取り付ける。なお、この柱カバー２６，２７の取り付けは、第２支柱１５を取り付け、その上端部に第２まぐさ２０，２０を取り付けた後に行ってもよい。
【００２４】
本実施の形態によれば、建物の入隅部１に設けられた玄関ポーチ２の外側角部に第１支柱３が立設され、この第１支柱３の上端部と建物の入隅部１にある互いに直交する外壁３０，３０との間にそれぞれ第１まぐさ４，４が架設され、バルコニー床を構成する床パネル７が２階の床より低くした状態で第１まぐさ４，４および外壁３０，３０によって支持されているので、バルコニー床から２階の床へ雨水等の水の進入を防止できる。
また、第１支柱３の上端部と第２支柱１５の下端部とが、第１マグサ４を貫通する緊結ボルト（連結部材）１６によって連結されているので、第２支柱１５は第１支柱３によって確実に支持される。そして、この第２支柱１５の上端部と建物の入隅部１にある互いに直交する外壁３１，３１との間にそれぞれ第２まぐさ２０，２０が架設され、この第２まぐさ２０，２０によってバルコニーの上方に位置する屋根の軒先部２４が支持されているので、この屋根の軒先部２４の軒の出が大きくなっても、該屋根の軒先部２４を確実に支持できる。したがって、バルコニーが大きくなっても、該バルコニーの上方を屋根の軒先部２４によって容易に覆うことができる。
【００２５】
さらに、第１まぐさ４の成が第２まぐさ２０の成より大きいので、バルコニー床をより強固にかつ２階床より下方で容易に支持できる。つまり、第１まぐさ４の成が大きいので、その分バルコニー床を強固に支持でき、また、バルコニー床を第１まぐさの下端部で支持することによって、２階床より下方で容易に支持できる。
また、第２まぐさ２０がバルコニーの上方に位置する屋根の軒先部２４の軒天井２５より上方に位置しているので、該第２まぐさ２０は軒天井２５に隠されて見えることがないので、バルコニーとしての仕上がりが秀麗なものとなる。
また、第１支柱３および第２支柱１５にそれぞれ取り付けられた柱カバー２６，２７は同一素材でかつ同一直径であるので、外観上、第１支柱３、第２支柱１５が上下に延びる１本柱のように見え、シンプルなものとなる。
【図面の簡単な説明】
【００２６】
【図１】本発明に係るバルコニー構造の一例を示すもので、その側断面図である。
【図２】同、平面図である。
【図３】同、側面図である。
【図４】同、バルコニーの上部の側面図である。
【図５】本発明に係るバルコニー構造の施工方法を説明するもの、玄関ポーチを示す斜視図である。
【図６】同、基礎に第１支柱を固定した状態を示す斜視図である。
【図７】同、第１まぐさを配置した状態を示す斜視図である。
【図８】同、２階床パネルを配置した状態を示す斜視図である。
【図９】同、バルコニー床を構成する床パネルを配置した状態を示す斜視図である。
【図１０】同、２階壁パネルを配置した状態を示す斜視図である。
【図１１】同、第１まぐさに第２支柱を固定した状態を示す斜視図である。
【図１２】同、第２まぐさを配置した状態を示す斜視図である。
【図１３】同、屋切パネルを配置した状態を示す斜視図である。
【符号の説明】
【００２７】
１  入隅部
２  玄関ポーチ
３  第１支柱
４  第１まぐさ
７  床パネル
１１  ２階の床
１５  第２支柱
１６  緊結ボルト（連結部材）
２０  第２まぐさ
２４  軒先部
２５  軒天井
２６，２７  柱カバー
３０，３１  外壁
【図１】
2008196264.tif 000003
【図２】
2008196264.tif 000004
【図３】
2008196264.tif 000005
【図４】
2008196264.tif 000006
【図５】
2008196264.tif 000007
【図６】
2008196264.tif 000008
【図７】
2008196264.tif 000009
【図８】
2008196264.tif 000010
【図９】
2008196264.tif 000011
【図１０】
2008196264.tif 000012
【図１１】
2008196264.tif 000013
【図１２】
2008196264.tif 000014
【図１３】
2008196264.tif 000015